(57)【特許請求の範囲】
【請求項１】
前面に主幹開閉器や分岐開閉器のような電気機器を配設する背面部を有して該電気機器を包囲する四周側面が開放された電気機器取付部材と、該電気機器取付部材の開放された一対の対向側面に沿って電気機器取付部材に取着される一対の対向側板を有し、前記電気機器取付部材の開放された他の一対の対向側面に沿って前記一対の対向側板間を板状の橋架部材により連結して成る電気機器包囲部材と、前記電気機器包囲部材又は電気機器取付部材の少なくとも何れか一方に開閉自在に取着されて電気機器取付部材の前面を覆う扉と、前記電気機器取付部材の前記対向側板に沿った一対の対向側面側に設けられて前記一対の対向側板の内面に当接して前記電気機器取付部材に電気機器包囲部材を取り付ける際にガイドする複数のガイド部材とを備えたことを特徴とする分電盤。
【請求項２】
前記ガイド部材の先端部分を前記電気機器取付部材から離れるにつれて前記電気機器包囲部材から離れる向きに傾斜させて成ることを特徴とする請求項１記載の分電盤。
【請求項３】
前記ガイド部材は、前記背板部に取着される固定片と、該固定片から立設された２つの立上片と、該立上片の先端部間を連結する連結片と、前記固定片から前記立上片間に立設されて先端部が前記連結片と接離自在に当接するケーブル支持片とを具備して成ることを特徴とする請求項１又は２記載の分電盤。
【発明の詳細な説明】
【０００１】
【発明の属する技術分野】
本発明は、分電盤に関するものである。
【０００２】
【従来の技術】
従来、底板及び四周側板を有する箱体に主幹開閉器や分岐開閉器のような電気機器を収納し、前記箱体の開口を中蓋及び外蓋で開閉自在にふさぐようにした分電盤が提供されている（特開平９−３２２３３２号公報参照）。
【０００３】
【発明が解決しようとする課題】
しかしながら、上記公報に記載されているような従来例では、電気機器が箱体内に収納されているために箱体の四周側板等が邪魔になって電気機器へのケーブルの接続作業が困難であるという問題があった。
【０００４】
本発明は上記問題点の解決を目的とするものであり、電気機器への配線作業性を向上させた分電盤を提供しようとするものである。
【０００５】
【課題を解決するための手段】
請求項１の発明は、上記目的を達成するために、前面に主幹開閉器や分岐開閉器のような電気機器を配設する背面部を有して該電気機器を包囲する四周側面が開放された電気機器取付部材と、該電気機器取付部材の開放された一対の対向側面に沿って電気機器取付部材に取着される一対の対向側板を有し、前記電気機器取付部材の開放された他の一対の対向側面に沿って前記一対の対向側板間を板状の橋架部材により連結して成る電気機器包囲部材と、前記電気機器包囲部材又は電気機器取付部材の少なくとも何れか一方に開閉自在に取着されて電気機器取付部材の前面を覆う扉と、前記電気機器取付部材の前記対向側板に沿った一対の対向側面側に設けられて前記一対の対向側板の内面に当接して前記電気機器取付部材に電気機器包囲部材を取り付ける際にガイドする複数のガイド部材とを備えたことを特徴とし、電気機器を配設した背面部を有する電気機器取付部材と電気機器の周囲を囲む電気機器包囲部材とを別体としているため、電気機器包囲部材を電気機器取付部材から取り外した状態で電気機器への配線作業が行え、電気機器への配線作業性を向上させることができる。また、電気機器包囲部材を電気機器取付部材に取着する際に電気機器包囲部材をガイド部材によってガイドすることで電気機器包囲部材を電気機器取付部材に容易に取着することができる。
【０００６】
請求項２の発明は、請求項１の発明において、前記ガイド部材の先端部分を前記電気機器取付部材から離れるにつれて前記電気機器包囲部材から離れる向きに傾斜させて成ることを特徴とし、電気機器包囲部材がガイドし易くなり、電気機器包囲部材を電気機器取付部材にさらに容易に取着することができる。
【０００７】
請求項３の発明は、請求項１又は２の発明は、前記ガイド部材が、前記背板部に取着される固定片と、該固定片から立設された２つの立上片と、該立上片の先端部間を連結する連結片と、前記固定片から前記立上片間に立設されて先端部が前記連結片と接離自在に当接するケーブル支持片とを具備して成ることを特徴とし、ケーブル支持片にケーブルを支持させることにより、ケーブルが立上片よりも外側に移動することがなく、さらにケーブルの重みでケーブル支持片が内側に折れ曲がろうとしてもケーブル支持片の先端部が連結片に当接するためにケーブルが折れ曲がるのを防止してケーブルを強固に固定することができる。また、電気機器に結線されたケーブルをケーブル支持片よりも内側に配置させることにより、電気機器包囲部材を電気機器取付部材に取着する際に電気機器包囲部材と電気機器取付部材の間にケーブルを挟み込むのを防いで電気機器包囲部材の取着作業が容易に行える。
【０００８】
【発明の実施の形態】
以下、図面を参照して本発明の一実施形態を詳細に説明する。
【０００９】
図１並びに図８に示すように本実施形態の分電盤は、前面に主幹開閉器３や分岐開閉器４のような電気機器を配設して壁面Ｗに取り付けられる略平板状の背板部材１と、この背板部材１の四周に沿って背板部材１に取着される矩形の枠体１０と、この枠体１０に開閉自在に取着されて枠体１０の開口部から露出する背板部材１の前面を覆う中蓋４０と、同じく枠体１０に開閉自在に取着されて枠体１０並びに中蓋４０の前面を覆う扉５０とを備えている。而して、本実施形態では、電気機器を包囲する四周側面の全てを開放した背板部材１にて電気機器取付部材が構成され、この背板部材１の四周に沿って背板部材１に取着される枠体１０によって電気機器包囲部材が構成されている。但し、これに限定する主旨ではなく、電気機器取付部材の対向する２つの側面方向が開放され、その開放された側面が電気機器包囲部材で塞がれるような構造の分電盤であれば、本発明の技術的思想を適用することが可能である。
【００１０】
背板部材１は、図１及び図３に示すように矩形の略平板状であって、左右方向（以下、上下左右の各方向は図１に示すように壁面Ｗに取り付けた状態における方向を指す。）の両端部（以下、「台部」と呼ぶ。）１ａが上下方向に渡って前面側に突出する断面形状略コ字形に形成される。これにより、背板部材１に枠体１０を取着する時の位置合わせが容易に行える。そして、台部１ａに挟まれた平坦部１ｂに内器ブロック２が取り付けられる。
【００１１】
内器ブロック２は、図１に示すように断面形状略コ字の樋状に形成された一対のフレーム２ａ間に一対の取付板２ｂが取着され、各取付板２ｂの前面側に主幹開閉器３並びに複数の分岐開閉器４を取り付けて構成される。主幹開閉器３と各分岐開閉器４とは、図２に示すように帯板状の３本の導電バー２ｃによって電気的に接続され、各分岐開閉器４と導電バー２ｃとの接続箇所が絶縁カバー２ｄによって覆われる。そして、背板部材１の平坦部１ｂ四隅近傍から前面側に突出する固定ねじ２ｅをフレーム２ａ両端のねじ挿通孔に挿通し、固定ねじ２ｅの先端にナット２ｆを締め付けることで内器ブロック２が背板部材１の前面に取り付けて固定されるのである。
【００１２】
背板部材１の台部１ａ前面側には３つのガイド部材７が上下方向に略等間隔に並ぶように取り付けてある。このガイド部材７は、後述するように背板部材１の四周に沿って取着される枠体１０の内周面に当接して、背板部材１に取り付ける際に枠体１０をガイドするものである（図２参照）。
【００１３】
ガイド部材７は、図９に示すように台部１ａに取着される固定片７ａと、この固定片７ａから立設された一対の立上片７ｂと、これら立上片７ｂの先端部間を連結する連結片７ｃと、固定片７ａから立上片７ｂ間に立設されて先端部が連結片７ｃと接離自在に当接可能なケーブル支持片７ｄとが一体に形成されている。而して、固定片７ａには一対のねじ孔７ｅが穿設されており、このねじ孔７ｅを通して台部１ａのねじ孔（図示せず）に螺合したねじ７ｆにより、ガイド部材７が台部１ａに固定されるのである（図２参照）。ここで、ガイド部材７の立上片７ｂの外側面と背板部材１の台部１ａの側端面とが面一になるようにガイド部材７が台部１ａに取り付けてある。なお、立上片７ｂの先端部分が内側（ケーブル支持片７ｄ側）に傾斜させてあり、これによって枠体１０を背板部材１に取着する際にガイドし易くなり、枠体１０の取着作業がさらに容易となる。
【００１４】
ここで、主幹開閉器３や分岐開閉器４に結線されたケーブル６０を、図１１に示すようにガイド部材７のケーブル支持片７ｄに結束バンド６１などで固定し、ケーブル支持片７ｄよりも内側にケーブル６０を配置させる。こうすることにより、背板部材１に枠体１０を取着する際に枠体１０と背板部材１の間にケーブル６０を挟み込むのを防いで枠体１０の取着作業が容易に行える。また、ケーブル支持片７ｄにケーブル６０を支持させることにより、ケーブル６０が立上片７ｂよりも外側に移動することがなく、さらにケーブル６０の重みでケーブル支持片７ｄが内側に折れ曲がろうとしてもケーブル支持片７ｄの先端部が連結片７ｃに当接するためにケーブル６０が折れ曲がるのを防止してケーブル６０を強固に固定することができる。
【００１５】
また、図３並びに図４に示すように台部１ａの下端部には、引掛孔５ａを有する第１引掛部材５がねじ５ｅにより固定されている。この第１引掛部材５は、台部１ａに取着される固定片５ｂと、固定片５ｂの端縁から立設される主片５ｃとが一体に形成されて成り、主片５ｃの先端部分に略矩形の引掛孔５ａが穿設されている。なお、主片５ｃの側端縁を折曲することで強度の向上を図っている。また、主片５ｃの先端には折曲片５ｄが設けてあり、図２に示すように枠体１０を取着した時に枠体１０の裏面に上記折曲片５ｄが当接するようになっている。
【００１６】
さらに、図３、図４及び図１６に示すように台部１ａの上端部には、爪片６ａを有する第２引掛部材６がねじ６ｄにより固定されている。この第２引掛部材６は、台部１ａに取着される固定片６ｂと、固定片６ｂの端縁から立設される主片６ｃとが一体に形成されて成り、主片６ｃの先端部分に上方向に突出する爪片６ａが設けてある。
【００１７】
一方、枠体１０は、図１０に示すように背板部材１の左右方向両端近傍に位置する一対の対向側板１１，１１と、背板部材１の上下方向両端近傍に位置して対向側板１１，１１間に橋架される一対の橋架部材１２，１２とで構成される。而して、枠体１０を対向側板１１，１１と橋架部材１２，１２とで構成しているので、例えば背板部材１の左右寸法を変更する時には対向側板１１をそのままで橋架部材１２のみを取り換えることで対応でき、また、背板部材１の上下寸法のみを変更する時には橋架部材１２をそのままで対向側板１１のみを取り換えることで対応できるため、部品の共通化が図れるという利点がある。
【００１８】
対向側板１１は、図１０及び図１１に示すようにアルミの押し出し材（ダイカスト）により断面形状略Ｌ形の筒状に形成され、内側面の両端近傍にそれぞれ上下方向に沿った溝状の開口部１１ａ，１１ａが形成されている。さらに対向側板１１内には開口部１１ａに連通し且つ少なくとも開口部１１ａよりも幅広の部位を有する断面形状略凸字形の中空部１１ｂが開口部１１ａに沿って上下方向に形成されている。また、対向側板１１の内側面の適宜箇所には上下方向に沿った複数の突条１１ｃが形成されている。なお、一般に分電盤は左右寸法に対して上下寸法の方が長いものであるから、対向側板１１をアルミの押し出し材により形成すれば、分電盤の軽量化が図れるとともに、押し出し材を任意の位置で切断しても均一な断面形状となり所望の長さ寸法の対向側板１１が容易に得られるという利点がある。
【００１９】
橋架部材１２は、例えば鋼板により天板部１２ａと前板部１２ｂを有する断面形状略Ｌ形の板状に形成されている。天板部１２ａの長手方向両端には突出片１２ｃが折曲形成されている。この突出片１２ｃには、図１３に示すように略中央に矩形の通風孔１２ｄが、基端には一対の係止孔１２ｅ，１２ｅが、さらに通風孔１２ｄよりも背面寄りの位置にねじ孔１２ｆがそれぞれ設けてある。また、前板部１２ｂの両端近傍には図１０に示すように各々ねじ孔１２ｇが設けてある。但し、下側の橋架部材１２の前板部１２ｂの両端近傍には、後述する取付ブロック１７の操作ハンドル１７ｄを前面側に露出するための露出孔１２ｈがそれぞれ設けてある。
【００２０】
ここで、対向側板１１，１１と上側の橋架部材１２とは第１の連結部材１３及び第２の連結部材１４によって連結され、対向側板１１、１１と下側の橋架部材１２とは第３の連結部材１５及び第４の連結部材１６によって連結される。なお、第１〜第４の連結部材１３〜１６はそれぞれ鏡像の関係にある一対のものが用いられる。
【００２１】
第１の連結部材１３は、橋架部材１２の突出片１２ｃに設けられたねじ孔１２ｆに螺合する取付ねじ１２ｉ用のねじ孔１３ｂを有する取付片１３ａと、対向側板１１の一方の中空部（他方の対向側板１１に対向する側の面に形成されている中空部）１１ｂに嵌入される嵌入片１３ｃと、背板部材１の台部１ａに取り付けた第２引掛部材６の爪片６ａと引掛係合する引掛片１３ｄとが金属製の板材を折り曲げて一体形成されている。なお、嵌入片１３ｃには中空部１１ｂに嵌入された状態で当該中空部１１ｂと連通する開口部１１ａに臨む一対のねじ孔１３ｅが形成されている。
【００２２】
第２の連結部材１４は、図１０に示すように略コ字形の主部１４ａと、主部１４ａの一端縁から延設された部位を折曲して成り、対向側板１１の他方の中空部（背板部材１に対向する側の面に形成されている中空部）１１ｂに嵌入される嵌入片１４ｂと、主部１４ａの他の一端縁から延設され、係止孔１４ｄが設けられたＬ形片１４ｃとが金属製の板材を折り曲げて一体形成されている。また、主部１４ａの前面には露出窓１４ｅ、ねじ孔１４ｆ並びに位置決め突起１４ｇが設けられ、嵌入片１４ｂには中空部１１ｂに嵌入された状態で当該中空部１１ｂと連通する開口部１１ａに臨む一対のねじ孔１４ｈが形成されている。
【００２３】
第３の連結部材１５は、橋架部材１２の突出片１２ｃに設けられたねじ孔１２ｆに螺合する取付ねじ１２ｉ用のねじ孔１５ｂを有する取付片１５ａと、対向側板１１の一方の中空部（他方の対向側板１１に対向する側の面に形成されている中空部）１１ｂに嵌入される嵌入片１５ｃとが金属製の板材を折り曲げて一体形成されている。なお、嵌入片１５ｃには中空部１１ｂに嵌入された状態で当該中空部１１ｂと連通する開口部１１ａに臨む一対のねじ孔１５ｄが形成されている。
【００２４】
第４の連結部材１６は、図１０及び図１２に示すように第２の連結部材１４と同一形状を有し、略コ字形の主部１６ａと、主部１６ａの一端縁から延設された部位を折曲して成り、対向側板１１の他方の中空部（背板部材１に対向する側の面に形成されている中空部）１１ｂに嵌入される嵌入片１６ｂと、主部１６ａの他の一端縁から延設され、係止孔１６ｄが設けられたＬ形片１６ｃとが金属製の板材を折り曲げて一体形成されている。また、主部１６ａの前面には露出窓１６ｅ、ねじ孔１６ｆ並びに位置決め突起１６ｇが設けられ、嵌入片１６ｂには中空部１１ｂに嵌入された状態で当該中空部１１ｂと連通する開口部１１ａに臨む一対のねじ孔１６ｈが形成されている。
【００２５】
ここで、第４の連結部材１６には取付ブロック１７が取着される。この取付ブロック１７は、図１２に示すように合成樹脂製の器体１７ａの一側面より被引掛体１７ｂが進退自在に突出し、器体１７ａ内に納装されたコイルばね（図示せず）によって被引掛体１７ｂが突出方向に弾性付勢されている。被引掛体１７ｂの先端は前面側から背面側にかけて傾斜させてある。器体１７ａの前面には操作窓１７ｃが開口しており、この操作窓１７ｃからは操作ハンドル１７ｄが露出させてある。操作ハンドル１７ｄは器体１７ａ内において被引掛体１７ｂに揺動自在に取着されており、操作ハンドル１７ｄに一体形成された駆動片１７ｅが被引掛体１７ｂの先端まで延出させてある。また、器体１７ａの両側面には、器体１７ａに対して一端で撓み自在に支持された取付片１７ｆが形成されている。つまり、第４の連結部材１６の露出窓１６ｅに前面側から取付ブロック１７の器体１７ａを挿入すれば、器体１７ａの前面側に形成されたフランジ部１７ｇと取付片１７ｆとの間で露出窓１６ｅの周縁部を挟持して、取付ブロック１７を第４の連結部材１６に取り付けることができる（図１０参照）。
【００２６】
而して、第１〜第４の連結部材１３〜１６を各々橋架部材１２，１２に取り付けた後、各連結部材１３〜１６の嵌入片１３ｃ…を、対向側板１１の対応する中空部１１ｂにそれぞれ嵌入し、各嵌入片１３ｃ…に形成されて対向側板１１の開口部１１ａに臨む一対のねじ孔１３ｅ…に開口部１１ａの外から、開口部１１ａよりも幅広の頭部を有する組立ねじ１８を螺合し締め付けることで対向側板１１、１１と橋架部材１２、１２とを連結して枠体１０を形成することができる。ここで、開口部１１ａは対向側板１１の長手方向（上下方向）に亙って設けてあるから、対向側板１１の長さ寸法が変わった場合でも、どのような長さ寸法の対向側板１１に対しても同一の連結部材１３〜１６を用いて橋架部材１２と連結させることができ、連結部材１３〜１６の部品共通化が図れるものである。また、本実施形態では対向側板１１と橋架部材１２を連結する第１の連結部材１３並びに第４の連結部材１６に各々引掛片１３ｄと被引掛体１７ｂを一体的に形成しているので、対向側板１１と橋架部材１２の連結と枠体１０の背板部材１に対する取着とが同一の部材で行うことができて、部品点数の削減が図れるのである。ここで、第２及び第４の連結部材１４、１６に設けた位置決め突起１４ｇ、１６ｇを、橋架部材１２の前板部１２ｂに設けた位置決め孔１２ｊに嵌合することで橋架部材１２に対する第２及び第４の連結部材１４、１６の位置決めが容易に行えるようになっている。なお、取付ブロック１７の操作ハンドル１７ｄは、下側の橋架部材１２の前板部１２ｂに設けた露出孔１２ｈから前面側に露出させてある。
【００２７】
さらに、対向側板１１と橋架部材１２の連結部分（枠体１０の４つのコーナー部分）が蓋部材１９によって塞がれている。この蓋部材１９は、図１０及び図１４に示すように裏面側に凹所１９ｂが形成された主部１９ａと、主部１９ａの裏面側に突設された一対の係合爪１９ｃ，１９ｃと、主部１９ａの裏面側周縁近傍の適所に突設された複数の棒状突起１９ｄとが合成樹脂によって一体形成されている。而して、係合爪１９ｃ，１９ｃを橋架部材１２の突出片１２ｃに設けた一対の係止孔１２ｅ，１２ｅにそれぞれ係止固定するとともに、複数の棒状突起１９ｄを対向側板１１の内側面の適宜箇所に形成された突条１１ｃ間の隙間にそれぞれ圧入することで蓋部材１９が対向側板１１並びに橋架部材１２に固定される（図１及び図１５参照）。
【００２８】
ここで、図１４に示すように蓋部材１９の主部１９ａには裏面側の凹所１９ｂと連通し且つ内側（凹所１９ｂ側）から外側に向けて背板部材１の方向に傾斜する複数のスリット１９ｅが設けてある。蓋部材１９を取り付けた状態では、凹所１９ｂによって対向側板１１と橋架部材１２の連結部分（突出片１２ｃ）と蓋部材１９との間に隙間が形成され、しかもこの隙間が突出片１２ｃに設けられた通風孔１２ｄを通して枠体１０の内側と連通することになる。つまり、分電盤の完成状態では枠体１０の内側（電気機器収納空間）に主幹開閉器３や分岐開閉器４が配設されており、これらの開閉器３、４が動作（所謂トリップ）する際にはアークによるガスが発生し、このガスの圧力によって中蓋４０や扉５０などが変形する場合が従来あったが、本実施形態によれば上記ガスを通風孔１２ｄを通して上記隙間に導出し、さらに蓋部材１９のスリット１９ｅを介して分電盤の外に素早く放出させることができる。その結果、上記ガスによる分電盤自体の変形を防止することができるものである。また、スリット１９ｅを内側から外側に向けて背板部材１の方向に傾斜させているため、スリット１９ｅを通して分電盤の内部が見えるのを防いで見栄えを良くすることができる。
【００２９】
上述のように構成された枠体１０は以下のようにして背板部材１に取着される。まず、枠体１０の上部を背板部材１の上側から下方に下げて、第１の連結部材１３，１３に一体形成されている引掛片１３ｄ，１３ｄを、背板部材１の台部１ａに取り付けた第２引掛部材６，６の爪片６ａ，６ａにそれぞれ引掛係合させる。次に背板部材１に取り付けたガイド部材７に枠体１０の内面を当接させながら枠体１０の下側を背板部材１の方へ押し付けていくと、第４の連結部材１６，１６に取り付けてある取付ブロック１７の被引掛体１７ｂが第１引掛部材５の主片５ｃの先端に当接して器体１７ａ内に押し込められ、やがて被引掛体１７ｂの先端が引掛孔５ａの位置までくると被引掛体１７ｂがコイルばねのばね力により復帰して引掛孔５ａに引っ掛かり、枠体１０を背板部材１に取着することができるのである（図２及び図１８参照）。このように枠体１０の上側の引掛片１３ｄ，１３ｄを背板部材１の爪片６ａ，６ａにそれぞれ引掛係合させた状態で、枠体１０の下側の被引掛体１７ｂを背板部材１の引掛孔５ａに引っ掛けているため、枠体１０を背板部材１に容易に取着することができる。しかも、枠体１０の高い箇所（引掛片１３ｄ）を先に引っ掛けて、枠体１０の低い箇所（下側の被引掛体１７ｂ）を後から引っ掛けることができるために作業がさらに行い易く、さらには枠体１０を前面側から背板部材１の方へ押し付けて作業が行えることからも作業性の向上が図れる。
【００３０】
また、枠体１０の上側の引掛片１３ｄ，１３ｄを背板部材１の爪片６ａ，６ａにそれぞれ上下方向から引掛係合させているため、枠体１０を背板部材１に取着した状態での枠体１０の上下方向のがたつきを引掛片１３ｄ，１３ｄと爪片６ａ，６ａとの間で抑えることができるとともに、枠体１０の下側の被引掛体１７ｂを背板部材１の引掛孔５ａに左右方向から引っ掛けているため、枠体１０を背板部材１に取着した状態での枠体１０の左右方向のがたつきを被引掛体１７ｂと引掛孔５ａが設けられた第１引掛部材５との間で抑えることができる。
【００３１】
ところで、枠体１０を背板部材１から取り外すには以下のようにして行う。まず取付ブロック１７の操作ハンドル１７ｄを操作すると、被引掛体１７ｂが器体１７ａ内に引き込まれて引掛孔５ａとの引っ掛かりを外すことができる。ここで、操作ハンドル１７ｄを操作すると操作ハンドル１７ｄに一体形成された駆動片１７ｅが揺動し、引掛孔５ａの周縁に当接して被引掛体１７ｂが引掛孔５ａの周縁から引き離される。これにより、被引掛体１７ｂの移動に対する抵抗力を低減して操作ハンドル１７ｄを容易に操作することができる。
【００３２】
一方、中蓋４０は図５に示すように矩形板状に形成されており、主幹開閉器３及び各分岐開閉器４のハンドル３ａ，４ａを露出させるための窓部４１…が設けてある。また、中蓋４０の上側面の一端側には、第２の連結部材１４に設けた軸受孔（図示せず）に枢着する軸４２が突設され、下側面の一端側には第４の連結部材１６に突設されている回動軸１６ｉが枢着される軸孔４３が設けられている。而して、上側面の軸４２を第２の連結部材１４の軸受孔に枢着し、第４の連結部材１６に突設されている回動軸１６ｉを下側面の軸孔４３に枢着することにより、中蓋４０が枠体１０に開閉自在に取り付けられる。ここで、中蓋４０の自由端側の上下両端近傍には、第４の連結部材１６に取り付けられた取付ブロック１７と同じ構造を有する係止装置４４，４４がそれぞれ取り付けてあり、進退自在に突出する係止爪（取付ブロック１７における被引掛体１７ｂ）を第２及び第４の連結部材１４、１６の係止孔１４ｄ、１６ｄにそれぞれ係止させることで、中蓋４０を枠体１０に対して閉じた状態に保持することができる。そして、係止装置４４の操作ハンドル（取付ブロック１７における操作ハンドル１７ｄ）４４ａを操作することで係止爪と係止孔１４ｄ、１６ｄとの係止を外して中蓋４０を開くことができる。なお、中蓋４０の自由端側の上下方向略中央には、中蓋４０の開閉操作を容易にするために取手４５が設けてある。
【００３３】
一方、図８に示すように枠体１０には枠体１０の前面を開閉自在に覆う扉５０が取り付けられる。この扉５０は図７に示すように周壁５１、５２を有する矩形板状に形成されており、左右の周壁５１の一方の内側面上部には、上側の橋架部材１２の前板部１２ｂ前面の一端側に取り付けたヒンジ部材２０の軸受孔２０ａに枢着する軸５３が突設され、上記内側面下部には、下側の橋架部材１２の前板部１２ｂ前面の一端側に取り付けたヒンジ部材２１の軸２１ａが枢着される軸孔５４が設けられている。而して、軸５３をヒンジ部材２０の軸受孔２０ａに枢着し、ヒンジ部材２１の軸２１ａを軸受孔５４に枢着することにより扉５０が枠体１０に開閉自在に取り付けられる。なお、扉５０裏面の自由端側の上下方向略中央にはマグネットキャッチ（図示せず）が設けてあり、このマグネットキャッチによって扉５０を枠体１０に対して閉じた状態で保持することができる。また、扉５０の自由端側の上下方向略中央には、扉５０の開閉操作を容易にするために取手５５が設けてある。
【００３４】
本実施形態の分電盤を施工する際には、図４に示すように壁面Ｗに取り付けた背板部材１に内器ブロック２を取り付け、内器ブロック２の電気機器（主幹開閉器３及び分岐開閉器４）の配線を行った後に、図１に示すように背板部材１に枠体１０を取着する。而して、枠体１０を取り外した状態で電気機器への配線が行えるため、電気機器への配線作業性を向上させることができる。そして、枠体１０を取着した後に中蓋４０を取り付け（図６参照）、最後に扉５０を取り付けることで分電盤の施工が完了する（図８参照）。なお、枠体１０を背板部材１に取着した状態では図２に示すように背板部材１の各端面が枠体１０内に収納されるため、背板部材１が枠体１０の外へ突出することがなく、例えば背板部材１の端面で手に怪我をする虞がなく、且つ見栄えを良くすることができるという利点がある。
【００３５】
【発明の効果】
請求項１の発明は、前面に主幹開閉器や分岐開閉器のような電気機器を配設する背面部を有して該電気機器を包囲する四周側面が開放された電気機器取付部材と、該電気機器取付部材の開放された一対の対向側面に沿って電気機器取付部材に取着される一対の対向側板を有し、前記電気機器取付部材の開放された他の一対の対向側面に沿って前記一対の対向側板間を板状の橋架部材により連結して成る電気機器包囲部材と、前記電気機器包囲部材又は電気機器取付部材の少なくとも何れか一方に開閉自在に取着されて電気機器取付部材の前面を覆う扉と、前記電気機器取付部材の前記対向側板に沿った一対の対向側面側に設けられて前記一対の対向側板の内面に当接して前記電気機器取付部材に電気機器包囲部材を取り付ける際にガイドする複数のガイド部材とを備えたので、電気機器を配設した背面部を有する電気機器取付部材と電気機器の周囲を囲む電気機器包囲部材とを別体としているため、電気機器包囲部材を電気機器取付部材から取り外した状態で電気機器への配線作業が行え、電気機器への配線作業性を向上させることができるという効果がある。また、電気機器包囲部材を電気機器取付部材に取着する際に電気機器包囲部材をガイド部材によってガイドすることで電気機器包囲部材を電気機器取付部材に容易に取着することができるという効果がある。
【００３６】
請求項２の発明は、前記ガイド部材の先端部分を前記電気機器取付部材から離れるにつれて前記電気機器包囲部材から離れる向きに傾斜させて成るので、電気機器包囲部材がガイドし易くなり、電気機器包囲部材を電気機器取付部材にさらに容易に取着することができるという効果がある。
【００３７】
請求項３の発明は、前記ガイド部材が、前記背板部に取着される固定片と、該固定片から立設された２つの立上片と、該立上片の先端部間を連結する連結片と、前記固定片から前記立上片間に立設されて先端部が前記連結片と接離自在に当接するケーブル支持片とを具備して成るので、ケーブル支持片にケーブルを支持させることにより、ケーブルが立上片よりも外側に移動することがなく、さらにケーブルの重みでケーブル支持片が内側に折れ曲がろうとしてもケーブル支持片の先端部が連結片に当接するためにケーブルが折れ曲がるのを防止してケーブルを強固に固定することができるという効果がある。また、電気機器に結線されたケーブルをケーブル支持片よりも内側に配置させることにより、電気機器包囲部材を電気機器取付部材に取着する際に電気機器包囲部材と電気機器取付部材の間にケーブルを挟み込むのを防いで電気機器包囲部材の取着作業が容易に行えるという効果がある。
【図面の簡単な説明】
【図１】本発明の一実施形態を示す分解斜視図である。
【図２】同上の下方向から見た側面断面図である。
【図３】同上における背板部材の斜視図である。
【図４】同上における背板部材の壁面への取り付け状態を示す斜視図である。
【図５】同上における中蓋の斜視図である。
【図６】同上の扉を外した状態の斜視図である。
【図７】同上における扉の斜視図である。
【図８】同上の扉を開けた状態の斜視図である。
【図９】同上におけるガイド部材の斜視図である。
【図１０】同上における枠体の分解斜視図である。
【図１１】同上の下方向から見た要部側面断面図である。
【図１２】同上における第４の連結部材の分解斜視図である。
【図１３】同上における蓋部材を取外した状態の枠体の要部上面図である。
【図１４】同上における蓋部材の側面断面図である。
【図１５】同上における枠体の要部上面図である。
【図１６】同上の右方向から見た要部側面断面図である。
【図１７】同上の正面から見た断面図である。
【図１８】同上の右方向から見た要部側面断面図である。
【符号の説明】
１  背板部材
２  内器ブロック
３  主幹開閉器
４  分岐開閉器
５  第１引掛部材
６  第２引掛部材
７  ガイド部材
１０  枠体
Ｗ  壁面
【図１】
0003622502.tif 000002
【図２】
0003622502.tif 000003
【図３】
0003622502.tif 000004
【図４】
0003622502.tif 000005
【図５】
0003622502.tif 000006
【図６】
0003622502.tif 000007
【図７】
0003622502.tif 000008
【図８】
0003622502.tif 000009
【図９】
0003622502.tif 000010
【図１０】
0003622502.tif 000011
【図１１】
0003622502.tif 000012
【図１２】
0003622502.tif 000013
【図１３】
0003622502.tif 000014
【図１４】
0003622502.tif 000015
【図１５】
0003622502.tif 000016
【図１６】
0003622502.tif 000017
【図１７】
0003622502.tif 000018
【図１８】
0003622502.tif 000019